(57)【特許請求の範囲】
【請求項１】
視覚的刺激（Ｕ１）が画面（２０）から消滅した一定時間後に、および前記刺激が目に見えない手法でその動きを継続する一定時間後に、前記刺激（Ｕ１）の位置に関する推定を個人が行うことを可能にすることにより、前記個人の警戒および直感の能力を測定するために設計された試験装置であって：
ａ．動作システム（１０）、
ｂ．前記動作システム（１０）にデータ入力を提供するためにキーパッドを備える少なくとも１つの入力ユニット（１２）、
ｃ．前記動作システム（１０）に関連づけられ、かつ互いに異なる、少なくとも１つの経路（Ｙ１、Ｙ２）、少なくとも１つの刺激（Ｕ１）および少なくとも１つの場所（ｌ１）を備える１つの画像ソース（１３）、
ｄ．前記動作システム（１０）に関連づけられ、かつ前記入力ユニット（１２）を用いて入力されるデータを中に備え、かつ適用される試験データを備える少なくとも１つのデータソース（１４）、
ｅ．前記動作システム（１０）に関連づけられ、かつ試験中に前記個人により示される回答を保持する少なくとも１つの記録ユニット（１５）、
ｆ．前記動作システム（１０）に関連づけられ、かつ前記経路（Ｙ１、Ｙ２）、前記刺激（Ｕ１）および前記場所（ｌ１）を表示し、かつ前記個人がこれらの選択を行うことを可能にする、タッチスクリーンである少なくとも１つの画面（２０）、
ｇ．前記動作システム（１０）に関連づけられ、かつ前記試験中の前記刺激（Ｕ１）の動きに従って所望の場所（ｌ１）に前記刺激（Ｕ１）が到達すると前記個人が考えるときに、前記個人が前記推定を行うことを可能にするボタン（３２）、
ｈ．前記動作システム（１０）に関連づけられ、かつ試験ステップ中に前記画面（２０）上で各過程の開始、終了および過程継続期間を測定する少なくとも１つのタイマ（１８）、
ｉ．前記動作システム（１０）に関連づけられ、かつ少なくとも前記経路（Ｙ１、Ｙ２）、前記刺激（Ｕ１）および前記場所（ｌ１）の表示を所定の配置で前記画面上に提供し、かつ前記タイマ（１８）と一緒に機能し、かつ目標の場所（ｌ１）の数、前記個人が反応を示す場所（ｌ１）の数、刺激（Ｕ１）が所定の場所（ｌ１）に存在しなければならない継続時間、前記個人が前記刺激（Ｕ１）に対して反応を示す継続時間の記録を提供し、かつこれらの項目が前記記録ユニット（１５）に記録されることを可能にするプロセッサユニット（１１）
を備えることにより特徴づけられる試験装置。
【請求項２】
前記項目（ｉ）で言及され、かつ前記記録ユニット（１５）により記録される前記個人の前記反応は：目的地推定部分での前記目標の場所（ｌ１）からのずれのレベルおよびずれの方向；前記目標の場所（ｌ１）を越えた反応回数；前記目標の場所（ｌ１）上での反応回数；前記目標の場所（ｌ１）の前での反応回数；総反応継続期間；平均反応継続期間；到達試験の間の前記目標の場所（ｌ１）の数；必要な継続時間；反応継続期間；正しい時間からのずれの継続時間；遅れて示された反応回数；間に合って示された反応回数；早く示された反応回数であることを特徴とする、請求項１に記載の試験装置。
【請求項３】
前記項目（ｉ）において、前記所定の配置によれば；前記経路（Ｙ１、Ｙ２）、前記刺激（Ｕ１）の移動速度および有効にすべき前記場所（ｌ１）が、前記画面（２０）上に出現する；これらは前記個人が前記推定を行うために、画面（２０）上で待たされる；その後、再度、前記経路（Ｙ１、Ｙ２）、前記刺激（Ｕ１）の前記移動速度および有効にすべき前記場所（ｌ１）を備える他のグループが前記画面（２０）上に出現し、これらは所定の順序で継続することを特徴とする、請求項１または２に記載の試験装置。
【請求項４】
前記動作システム（１０）に関連づけられ、かつ前記記録ユニット（１５）により記録されたデータを分類する、少なくとも１つの編集ユニット（１６）が存在することを特徴とする、請求項１に記載の試験装置。
【請求項５】
前記動作システム（１０）に関連づけられ、かつ前記記録ユニット（１５）により記録されたファイルの比較結果を提供する解析ユニット（１７）が存在することを特徴とする、請求項１に記載の試験装置。
【請求項６】
前記試験中、前記個人に音声指示を伝達することを可能にする、少なくとも１つのイヤホン（４０）が存在することを特徴とする、請求項１に記載の試験装置。
【請求項７】
前記動作システム（１０）はコンピュータであることを特徴とする、請求項１に記載の試験装置。
【請求項８】
前記入力ユニット（１２）はキーボードであることを特徴とする、請求項１に記載の試験装置。
【請求項９】
前記画像ソース（１３）、前記データソース（１４）および前記記録ユニット（１５）はハードディスクであることを特徴とする、請求項１に記載の試験装置。
【請求項１０】
上述の構成要素のすべてが前記所定の配置で置かれ、かつ前記試験が適用される前記個人が立っているプラットフォーム（３０）が存在することを特徴とする、請求項１に記載の試験装置。
【請求項１１】
前記個人が自分の両手を前記プラットフォーム（３０）上に置くことができ、かつ前記試験中、前記個人が適切な位置に留まることを可能にする、少なくとも１つのプレート（３１）が存在することを特徴とする、請求項１０に記載の試験装置。
【請求項１２】
前記プラットフォーム（３０）上で前記個人の前記到達試験に使用されるために、言及される前記所与の反応を提供する、少なくとも１つのボタン（３２）が存在することを特徴とする、請求項１０に記載の試験装置。
【請求項１３】
前記第１の経路および前記第２の経路（Ｙ１、Ｙ２）の差が、前記経路（Ｙ１、Ｙ２）が異なる回転曲げを有することであることを特徴とする、請求項１に記載の試験装置。
【請求項１４】
前記刺激（Ｕ１）が矢印の形であることを特徴とする、請求項１に記載の試験装置。
【請求項１５】
視覚的刺激（Ｕ１）が画面（２０）から消滅した一定時間後に、および前記刺激が目に見えない手法でその動きを継続する一定時間後に、前記視覚的刺激（Ｕ１）の位置に関する推定を個人が行うことを可能にすることにより、前記個人の警戒および直感の能力を測定するために設計された試験方法であって：
ａ．前記個人を動作システム（１０）に記録するステップ、
ｂ．プロセッサユニット（１１）のタイマ（１８）に関する所定のタイミングの指図でデータソース（１４）から試験を開始するステップ、
ｃ．前記動作システム（１０）が、画面（２０）上に第１の経路（Ｙ１）を表示し、前記第１の経路（Ｙ１）上には２つ以上の場所（ｌ１）が存在するステップ、
ｄ．前記刺激（Ｕ１）が、所定の条件下で前記第１の経路（Ｙ１）の中を移動するステップ、
ｅ．前記第１の経路（Ｙ１）が、前記個人が反応を示すために、一定の継続期間、前記画面（２０）上で待つステップ、
ｆ．前記個人の前記反応（好ましい場所（ｌ１）または無反応）は記録ユニット（１５）により記録されるステップ、
ｇ．２つ以上の場所（ｌ１）を有する第２の経路（Ｙ２）が、前記動作システム（１０）により前記画面（２０）上に表示されるステップ、
ｈ．前記刺激（Ｕ１）が、所定の条件下で前記第２の経路（Ｙ２）の中を移動するステップ、
ｉ．前記第２の経路（Ｙ２）が、前記個人が反応を示すために、一定の継続期間、前記画面（２０）上で待つステップ、
ｊ．前記個人の前記反応（好ましい場所（ｌ１）または無反応）は前記記録ユニット（１５）により記録されるステップ
を備えることにより特徴づけられる試験方法。
【請求項１６】
ｋ．前記第１の経路（Ｙ１）および前記第２の経路（Ｙ２）が、所定の配置で順々に前記画面（２０）上に出現するステップ、
ｌ．前記刺激（Ｕ１）が、所定の条件下で前記第１の経路（Ｙ１）および前記第２の経路（Ｙ２）の中を順々に移動するステップ、
ｍ．前記記録ユニット（１５）により、前記経路（Ｙ１、Ｙ２）のすべてに対して前記個人が示す場所（ｌ１）選択に似た前記反応が記録される、または反応がまったく記録されないステップ
を備えることにより特徴づけられる、請求項１５に記載の試験方法。
【請求項１７】
ｎ．前記動作システム（１０）は前記第１の経路（Ｙ１）を前記画面（２０）上に表示し、前記第１の経路（Ｙ１）は２つ以上の場所（ｌ１）を備えるステップ、
ｏ．前記刺激（Ｕ１）が、所定の条件下で前記第１の経路（Ｙ１）の中を移動するステップ、
ｐ．前記第１の経路（Ｙ１）が、前記個人がプラットフォーム（３０）上のボタン（３２）を押すことができるように、一定の継続期間、前記画面（２０）上で待つステップ、
ｑ．前記個人の前記反応（前記刺激（Ｕ１）が目標の場所（ｌ１）に到達すると前記個人が推定するときに前記ボタン（３２）を押す継続期間）が前記記録ユニット（１５）により記録されるステップ、
ｒ．２つ以上の場所（ｌ１）を有する前記第２の経路（Ｙ２）が、前記動作システムにより前記画面（２０）上に表示されるステップ、
ｓ．前記刺激（Ｕ１）が、所定の条件下で前記第２の経路（Ｙ２）の中を移動するステップ、
ｔ．前記第２の経路（Ｙ２）が、前記個人が前記プラットフォーム（３０）上の前記ボタン（３２）を押すことができるように、一定の継続期間、前記画面（２０）上で待つステップ、
ｕ．前記個人の前記反応（前記刺激（Ｕ１）が目標の場所（ｌ１）に到達すると前記個人が推定するときに前記ボタン（３２）を押す継続期間）が前記記録ユニット（１５）により記録されるステップ
を備えることにより特徴づけられる、請求項１５または１６に記載の試験方法。
【請求項１８】
ｖ．前記第１の経路（Ｙ１）および前記第２の経路（Ｙ２）が、所定の配置で順々に前記画面（２０）上に出現するステップ、
ｗ．前記刺激（Ｕ１）が、所定の条件下で前記第１の経路（Ｙ１）および前記第２の経路（Ｙ２）の中を順々に移動するステップ、
ｘ．前記記録ユニット（１５）により、前記個人の反応（前記刺激（Ｕ１）が目標の場所（ｌ１）に到達すると前記個人が推定するときに前記ボタン（３２）を押す継続期間）が記録される、または反応がまったく記録されないステップ、
ｙ．前記試験が終了するステップ
を備えることにより特徴づけられる、請求項１５〜１７のうちいずれか一項に記載の試験方法。
【請求項１９】
前記項目（ｘ）で言及され、かつ前記記録ユニット（１５）により記録される前記個人の前記反応は：到達地点推定部分での前記目標の場所（ｌ１）の数；反応が示された場所（ｌ１）の数；反応継続期間；目標の場所（ｌ１）からのずれのレベルおよびずれの方向；前記目標の場所（ｌ１）を越えて示された反応回数；前記目標の場所（ｌ１）上での反応回数；前記目標の場所（ｌ１）の前での反応回数；総反応継続期間；平均反応継続期間；到達試験の間の前記目標の場所（ｌ１）の数；必要な継続時間；反応継続期間；正しい時間からのずれの継続時間；遅れて示された反応回数；間に合って示された反応回数；早く示された反応回数から選択されることを特徴とする、請求項１８に記載の試験方法。
【請求項２０】
前記動作システム（１０）はコンピュータであることを特徴とする、請求項１５に記載の試験方法。
【請求項２１】
前記記録ユニット（１５）はハードディスクであることを特徴とする、請求項１５に記載の試験方法。
【請求項２２】
前記第１の経路（Ｙ１）および前記第２の経路（Ｙ２）の差が、前記経路（Ｙ１、Ｙ２）が異なる回転曲げを有することであることを特徴とする、請求項１５に記載の試験方法。
【発明の詳細な説明】
【技術分野】
【０００１】
本発明は、刺激が所望の地点に到達するために必要な継続時間を推定する際の、および視覚刺激が画面から消滅した後に一定速度で移動することを考慮して、視覚刺激が画面上の所定の地点で消滅した後の、画面上の刺激の位置を推定する際の、個人の正確さ、警戒および直感の能力を測定する試験装置に関する。
【背景技術】
【０００２】
産業組織心理学は、過去には工場に適用され、現在では複数の基盤に適用される心理学の分野である。産業組織心理学を調べると、産業組織心理学には２つの基本体系があることが分かっている。これらの体系の第１は、仕事への個人の調和であり、もう１つは、個人への仕事の調和である。仕事への個人の調和は、職員選択、職員訓練および専門家の援助のステップを備える；一方、個人への仕事の調和は、作業設計、個人に応じた道具の配置、および個人の身体的および精神的構造に応じた作業環境の工夫の過程を備える。
【０００３】
産業組織心理学の領域では、適切な職員を選択するために、複数の測定および評価ツールが使用される。精神技術評価は、言語に関するまたは言語以外の複数の試験を用いた、身体的能力、精神運動性能力および認識能力の測定ならびに個人の個人的特徴として定義することができる。産業組織心理学の領域では、職員を選択する際に、換言すれば、適した地位に対して適した志願者を選択する際に、精神技術評価が使用される。身体的能力（筋力、体力など）、精神運動性（調整能力、反応速度など）および認識能力（判断、視覚的および聴覚的注意ならびに速度距離予想など）ならびに個人的能力（危険を冒す意欲、不安レベルなど）が測定され、仕事が必要とする能力に関して最良の志願者が選択される。
【０００４】
精神運動性能力を測定するために、複数の研究が行われ、いくつかの技法が決定された。
【０００５】
特許出願米国特許第４３８３８２７号明細書が運転シミュレータに関し、運転シミュレータは、車両に必要な制御設備のすべてを備える。シミュレーションの間、交通に関係のある視覚的構成要素が画面上に形成され、試験の所定の地点で、画面上で問題が発生している間に個人が示す運転反応が記録される。
【０００６】
特許出願国際公開第２００６０３１１３１号パンフレットでは、シミュレータの中で運転している間に、異なる大気および道路の条件下で画面上に問題が出現している間に個人の反応を記録することが目的である。
【０００７】
特許出願米国特許出願公開第２０１０１６７２４６号明細書では、２つ以上のモニタを有するシミュレータの中に存在する個人が、視覚的構成要素が次の画面まで通過する間に、前記画面上で同時に見られる視覚的構成要素に反応して、視覚的要素の次の位置に従う、または次の位置を推定するよう要求される試験が適用される。
【先行技術文献】
【特許文献】
【０００８】
【特許文献１】米国特許第４３８３８２７号明細書
【特許文献２】国際公開第２００６０３１１３１号パンフレット
【特許文献３】米国特許出願公開第２０１０１６７２４６号明細書
【発明の概要】
【発明が解決しようとする課題】
【０００９】
その結果、関連技術分野では、一定の継続時間後の、移動する視覚的要素の位置を測定する、または所定の目標に到達するのにかかる継続時間を測定する試験装置が開示されていない。
【課題を解決するための手段】
【００１０】
本発明は、関連技術分野に新たな利点を提示するための、精神技術能力を測定する試験装置である。
【００１１】
本発明の主要な目的は、刺激が画面から消滅し、かつ一定速度で進む結果として、一定の継続時間後の、画面上の刺激の位置を推定するよう個人に要求することにより、個人の警戒および直感の能力を測定することである。
【００１２】
本発明の他の目的が、刺激が画面から消滅した後に、刺激が所望の地点に到達すると個人が考えるときに、個人の反応の結果として、経過した継続時間を個人により直感的に計算する確かさの比率を測定することである。
【００１３】
上述の目的および以下の詳細な説明から得られる目的のすべてを実現するために、本発明は、刺激が画面から消滅した一定時間後に、および刺激が目に見えない手法でその動きを継続する一定時間後に、刺激の位置に関する推定を個人が行うことを可能にすることにより、個人の警戒および直感の能力を測定するために設計された試験装置であって：
ａ．動作システム、
ｂ．動作システムにデータ入力を提供するためにその上にキーパッドを備える少なくとも１つの入力ユニット、
ｃ．動作システムに関連づけられ、かつ互いに異なる、少なくとも１つの経路、少なくとも１つの刺激および少なくとも１つの場所を備える１つの画像ソース、
ｄ．動作システムに関連づけられ、かつ入力ユニットを用いて入力されるデータを中に備え、かつ適用される試験データを備える少なくとも１つのデータソース、
ｅ．動作システムに関連づけられ、かつ試験中に個人により示される回答を保持する少なくとも１つの記録ユニット、
ｆ．動作システムに関連づけられ、かつ前記経路、前記刺激および前記場所を表示し、かつ個人がこれらの選択を行うことを可能にする、タッチスクリーンである少なくとも１つの画面、
ｇ．動作システムに関連づけられ、かつ試験中に刺激の動きに従って所望の場所に刺激が到達すると個人が考えるときに、個人がこの推定を行うことを可能にするボタン、
ｈ．動作システムに関連づけられ、かつ試験ステップ中に画面上で各過程に対する開始、終了および過程継続時間を測定する少なくとも１つのタイマ、
ｉ．動作システムに関連づけられ、かつ少なくとも前記経路、前記刺激および前記場所の表示を所定の配置で画面上に提供し、かつ前記タイマと一緒に機能し、かつ目標の場所の数、個人が反応を示す場所の数、刺激が所定の場所に存在しなければならない継続時間、個人が刺激に対して反応を示す継続時間の記録を提供し、かつこれらの項目が記録ユニットに記録されることを可能にするプロセッサユニット
を備えることにより特徴づけられる試験装置。
【００１４】
主題の発明の他の好ましい実施形態では、ステップ（ｉ）で言及され、かつ記録ユニットにより記録される個人の反応は：目的地推定部分における、目標の場所からのずれのレベルおよびずれの方向；目標の場所を越えた反応回数；目標の場所上での反応回数；目標の場所の前での反応回数；総反応継続期間；平均反応継続期間；到達試験の間の目標の場所の数；必要な継続時間；反応継続期間；正しい時間からのずれの継続時間；遅れて示された反応回数；間に合って示された反応回数；早く示された反応回数である。
【００１５】
主題の発明の他の好ましい実施形態では、前記ステップ（ｉ）では、所定の配置によれば；経路、刺激の移動速度および有効にすべき場所は、画面上に出現する；これらは、個人が推定を行うために、画面上で待たされる；その後、再度、経路、刺激の移動速度および有効にすべき場所を備える他のグループが画面上に出現し、これらは所定の順序で継続する。
【００１６】
主題の本発明の他の好ましい実施形態では、動作システムに関連づけられ、かつ記録ユニットにより記録されたデータを分類する、少なくとも１つの編集ユニットが存在する。
【００１７】
主題の本発明の他の好ましい実施形態では、動作システムに関連づけられ、かつ記録ユニットにより記録されたファイルの比較結果を提供する解析ユニットが存在する。
【００１８】
主題の発明の他の好ましい実施形態では、試験中、個人に音声指示を伝達することを可能にする、少なくとも１つのイヤホンが存在する。
【００１９】
主題の発明の他の好ましい実施形態では、前記動作システムはコンピュータである。
【００２０】
主題の発明の他の好ましい実施形態では、前記入力ユニットはキーボードである。
【００２１】
主題の発明の他の好ましい実施形態では、前記画像ソース、前記データソースおよび前記記録ユニットはハードディスクである。
【００２２】
主題の発明の他の好ましい実施形態では、上述の構成要素のすべてが所定の配置で置かれ、かつ試験が適用される個人が立っているプラットフォームが存在する。
【００２３】
主題の発明の他の好ましい実施形態では、個人が自分の両手をプラットフォームの上に置くことができ、かつ試験中、個人が適切な位置に留まることを可能にする、少なくとも１つのプレートが存在する。
【００２４】
主題の発明の他の好ましい実施形態では、プラットフォーム上で個人の到達試験に使用されるために、言及される所与の反応を提供する、少なくとも１つのボタンが存在する。
【００２５】
主題の発明の他の好ましい実施形態では、第１の経路および第２の経路の差が、これらの経路が異なる回転曲げを有することである。
【００２６】
主題の発明の他の好ましい実施形態では、刺激は矢印の形をしている。
【００２７】
刺激が画面から消滅した一定時間後に、および刺激が目に見えない手法でその動きを継続する一定時間後に、刺激の位置に関する推定を個人が行うことを可能にすることにより、個人の警戒および直感の能力を測定するために設計された試験方法であって：
ａ．個人を動作システムに記録するステップ、
ｂ．プロセッサユニットのタイマに関する所定のタイミングの指図でデータソースから試験を開始するステップ、
ｃ．動作システムが、画面上に第１の経路を表示し、前記第１の経路上には２つ以上の場所が存在するステップ、
ｄ．刺激が、所定の条件下で第１の経路の中を移動するステップ、
ｅ．第１の経路が、個人が反応を示すために、一定の継続期間、画面上で待つステップ、
ｆ．個人の反応（好ましい場所または無反応）が記録ユニットにより記録されるステップ、
ｇ．２つ以上の場所を有する第２の経路が、動作システムにより画面上に表示されるステップ、
ｈ．刺激が、所定の条件下で第２の経路の中を移動するステップ、
ｉ．第２の経路が、個人が反応を示すために、一定の継続期間、画面上で待つステップ、
ｊ．個人の反応（好ましい場所または無反応）が記録ユニットにより記録されるステップ
を備えることにより特徴づけられる試験方法。
【００２８】
前記試験方法はまた：
ｋ．第１の経路および第２の経路が、所定の配置で画面上に順々に出現するステップ、
ｌ．刺激が、所定の条件下で第１の経路および第２の経路の中を順々に移動するステップ、
ｍ．記録ユニットにより、経路のすべてに対して個人が示す場所選択に似た反応を記録する、または反応がまったく記録されないステップ
を備える。
【００２９】
前記試験方法はまた：
ｎ．動作システムが、２つ以上の場所を備える第１の経路を画面上に表示するステップ、
ｏ．刺激が、所定の条件下で第１の経路の中を移動するステップ、
ｐ．第１の経路が、個人がプラットフォーム上のボタンを押すことができるように、一定の継続期間、画面上で待つステップ、
ｑ．個人の反応（刺激が目標の場所に到達すると個人が推定するときにボタンを押す継続期間）が記録ユニットにより記録されるステップ、
ｒ．２つ以上の場所を有する第２の経路が、動作システムにより画面上に表示されるステップ、
ｓ．刺激が、所定の条件下で第２の経路の中を移動するステップ、
ｔ．第２の経路が、個人が反応を示すために、一定の継続期間、画面上で待つステップ、
ｕ．個人の反応（刺激が目標の場所に到達すると個人が推定するときにボタンを押す継続期間）が記録ユニットにより記録されるステップ
を備える。
【００３０】
前記試験方法はまた：
ｖ．第１の経路および第２の経路が、所定の配置で画面上に順々に出現するステップ、
ｗ．刺激が、所定の条件下で第１の経路および第２の経路の中を順々に移動するステップ、
ｘ．記録ユニットにより、場所選択に似た反応（刺激が目標の場所に到達すると個人が推定するときにボタンを押す継続期間）が記録される、または反応がまったく記録されないステップ、
ｙ．試験が終了するステップ
を備える。
【００３１】
主題の発明の実施形態および利点が追加の要素を使って最良の手法で理解されるように、以下で説明される図面を使って主題の発明を評価しなければならない。
【図面の簡単な説明】
【００３２】
【図１】装置の概略図を示す。
【図２】試験の流れ図を示す。
【図３】第１の経路の代表図を示す。
【図４】第２の経路の代表図を示す。
【発明を実施するための形態】
【００３３】
この詳細な説明では、主題をより理解できるようにするために、どんな制限的効果も作り出すことなく、例を参照して主題のシステムが説明される。したがって、以下の詳細な説明および図面では、主題の発明は、精神運動性過程および認識過程の測定および評価の領域において、刺激が画面から消滅した一定時間後に、および刺激が目に見えない手法でその動きを継続する一定時間後に、刺激の位置に関する推定を個人が行うことを可能にすることにより、個人の警戒および直感の能力を測定するために設計された試験装置に関する。
【００３４】
図１から理解することができるように、主題の装置の概略図が示されている。装置は、本質的に、動作システム（１０）；動作システム（１０）に関係づけられたデータを視覚的に示す画面（２０）；個人が試験を受けるプラットフォーム（３０）；およびイヤホン（４０）を備える。
【００３５】
動作システム（１０）は、コンピュータフレームに類似する構造を有し、他の構成要素を接続することができるハウジングまたはスロット（図示せず）を有する。さらに、スロットの周囲には、前記構成要素を保護するために、保護プレート（図示せず）に類似する構造物が存在する。動作システム（１０）に関連づけられ、かつキーパッドが置かれた入力ユニット（１２）が存在する。画像ソース（１３）、データソース（１４）、記録ユニット（１５）、編集ユニット（１６）、解析ユニット（１７）およびタイマ（１８）が動作システム（１０）内部の前記スロットに関連づけられる。さらに、プロセッサユニット（１１）が動作システム（１０）内部に配置される。
【００３６】
プラットフォーム（３０）上には、人間の手の人間工学的形態に適すように設計された２つのプレート（３１）が存在する。さらに、プラットフォーム（３０）上にはボタン（３２）が存在する。個人は、自分の両手を前記プレート（３１）上に置き、質問に答える準備ができた位置につく。
【００３７】
動作システム（１０）内部に存在する構成要素の動作は、以下の通りである。前記入力ユニット（１２）上のキーを用いて、動作システム（１０）へのデータ入力を行うことができる。前記データは、試験を受ける個人の個人的データとすることができ、試験に関係のある構成要素間の接続および関係のようなデータ入力のすべてを行うことを可能にする。入力が行われたデータは、データソース（１４）に保持され、記憶される。記憶されたデータは、再度見ることができ、再度使用することができ、必要なときには、記憶されたデータに変更を行うことができる。画像ソース（１３）は、視覚的に使用されるべきデータを具体化する。データソース（１４）内部に存在するデータおよび画像ソース（１３）内部に存在する視覚的データは関連づけられ、それにより、データ間の関係が実現される。記録ユニット（１５）は、試験を受ける個人の個人的情報を記録し、試験中に個人の回答を記録する。このおかげで、記録ユニット（１５）は、個人が試験中に個人的データファイルの中でいくつの状況に直面するか、個人が、自分が直面する状況にどのように反応するか、個人が示す反応がどれくらい長くかかるかなどの数値データの情報を保持する。編集ユニット（１６）は、２人以上の個人が存在するとき、前記記録ユニット（１５）が記録する情報の分類を可能にする。この手法で試験された個人の情報にアクセスすることが望まれるとき、一定の分類構造でアクセスが容易になる。解析ユニット（１７）は、２人以上の個人の試験結果の比較結果を提供する。解析ユニット（１７）は、記録ユニット（１５）により記録された試験結果を比較することが望まれるときに、選択された人々の試験結果を数値的に解析し、解析ユニット（１７）は、考慮すべき個人の間の有利な点および不利な点を提供する。解析ユニット（１７）は、比較過程に加えて、結果の順序付けを提供する。プロセッサユニット（１１）には、構成要素間のデータバスを調和させる仕事がある。タイマ（１８）には、試験について所定の継続期間を測定する；事例間の進行継続期間を測定する；および個人が刺激に直面する時間および個人が刺激に対して反応を示す時間の間の時間差を測定する仕事がある。タイマ（１８）は、プロセッサユニット（１１）と一緒に機能する。
【００３８】
画面（２０）上では、動作システム（１０）から到来するデータが、視覚的形態に変換される。前記画面（２０）はタッチスクリーンであり、個人が画面（２０）をタッチすることにより自分の選択を行うことを可能にする。画像ソース内部には、第１の経路（Ｙ１）および第２の経路（Ｙ２）と呼ばれる、２つの異なる経路が存在し、画像ソース内部には、移動する刺激（Ｕ１）の図が存在する。さらに、画像ソース（１３）内部には場所（ｌ１）の図がある。前記第１の経路（Ｙ１）は、平坦な経路であり、第１の経路（Ｙ１）上には、開始場所および終了場所（ｌ１）を除き、９つの場所（ｌ１）が存在する。前記第２の経路（Ｙ２）は、カーブのある経路であり、第２の経路（Ｙ２）上には、開始場所および終了場所（ｌ１）を除き、１４の場所（ｌ１）が存在する。場所（ｌ１）は、正方形の形状を有し、場所（ｌ１）の上には、場所（ｌ１）の番号に言及する番号が存在する。移動する刺激（Ｕ１）は矢印形状を有し、第１および第２の経路（Ｙ１、Ｙ２）の中を移動するような、および個人により視覚的に容易に検出されるようなサイズを有する。
【００３９】
個人に適用される試験は、２つのステップを備える。第１のステップでは、２つの部分があり、第１の部分では、個人は、視覚的刺激（Ｕ１）が目に見えない手法で、同一の一定速度で移動することを考慮して、視覚的刺激（Ｕ１）が画面から消滅した後に視覚的刺激（Ｕ１）が到達する場所を推定するように要求される；さらに、第２のステップでは、個人は、視覚的刺激（Ｕ１）が目に見えない手法で、同一の一定速度で移動することを考慮して、視覚的刺激（Ｕ１）が画面から消滅した後に視覚的刺激（Ｕ１）が所定の場所（ｌ１）に到達すると考えられる時間を推定するよう要求される。第１の部分で使用される第１の経路（Ｙ１）および第２の経路（Ｙ２）の図から、第１の経路（Ｙ１）上の９つの場所（ｌ１）のうち４つが目標の場所（ｌ１）であり、第２の経路（Ｙ２）上の１４の場所（ｌ１）のうち９つが目標の場所（ｌ１）である。刺激（Ｕ１）は、これらの経路を４つの異なる移動速度で通過することができる。しかしながら、画面上の状況の間に、刺激が画面（２０）から消滅した後に速度変化はなく、視覚的刺激は一定速度で移動する。いずれの試験ステップでも、刺激（Ｕ１）は、経路（Ｙ１、Ｙ２）上の第３の場所（ｌ１）で画面（２０）から消滅する。試験の第１のステップでは、各質問の中の所定の継続時間後にイヤホン（４０）から警告メッセージが到来する。試験の第２のステップでは、到達時間を予測するように要求される場所（ｌ１）の上で光が点滅する。個人が自分の両手をプラットフォーム（３０）上に存在するプレート（３１）上に置かない場合、システムは次の質問に進まない。
【００４０】
試験装置の動作は、次の通りである。試験される個人の個人情報が、入力ユニット（１２）の助けを借りて記録ユニット（１５）に記録される。個人は、イヤホン（４０）を装着し、画面（２０）上に出現する指示を適用し始める。指示文書が、画面（２０）上に、灰色の背景の上に出現する。画面（２０）上に出現する指示文書は、イヤホン（４０）を用いて個人に告げられる。指示では、試験の第１のステップで個人が行うべきことに関して、すなわち；個人がプラットフォーム上にどのように立つべきかに関して；試験の第１のステップに関する一般的情報に関して；イヤホンから到来する信号トーンに関して；および個人がどのようにして選択を行うべきに関して、包括的かつ詳細な情報が個人に示される。さらに、必要な情報が示された後に、試験の第１のステップで個人がどのように振る舞うべきかを示すアニメーションが画面（２０）上に示される。アニメーションが終了した後、いくつかの試行が行われることを通知する指示が、画面（２０）上に出現する。試験の第１のステップは、２つの試行が終了した後に、かつ２つの試行に回答が示された後に開始される。試験の第１のステップでは、個人は、視覚的刺激（Ｕ１）が画面から消滅した後に、同一の一定速度で移動するとき、到達すると個人が考える場所（ｌ１）の番号を、画面（２０）上をタッチすることにより、選択するよう要求される。個人が自分の選択を行った後、個人の選択が正しい場合、「推定は正しい」という指示が画面（２０）上に出現する。個人の選択が間違った場合、「選択は間違っています；信号トーンが聞こえたとき、刺激は場所（ｌ１）ｘに到達しました」という指示が画面（２０）上に出現する。個人が１０秒以内に選択を行わない場合、「選択されていません；信号トーンが聞こえたとき、刺激は場所（ｌ１）ｘに到達しました」という指示が画面（２０）上に出現する。個人が自分の両手を両方ともプレート（３１）上に置かない場合、「両手をプレート（３１）の上に置いてください」という指示が５秒後に画面（２０）上に出現する。試験の第１のステップは、所定の数の事例が行われると終了する。各事例では、２つの異なる経路（Ｙ１、Ｙ２）、刺激（Ｕ１）が移動する４つの異なる速度および異なる場所（ｌ１）の組合せが使用される。
【００４１】
試験の第１のステップである到達場所推定が終了した後に、画面（２０）上には、試験の第２の部分である、到着時間に関する指示が画面上に出現する。試験に関する詳細な指示が個人に告げられた後に、試験の第２のステップで個人がどのように振る舞うべきかを示すアニメーションが画面（２０）上に示される。アニメーションが終了した後、いくつかの試行が行われることを通知する指示が、画面（２０）上に出現する。２つの試行が行われた後に、かつこれらの試行に必要な回答が示された後に、試験の第２のステップが始まる。到達地点推定試験では、刺激（Ｕ１）が画面（２０）から消滅した後に、刺激（Ｕ１）が同一速度で移動した後に、刺激（Ｕ１）が目標の場所（ｌ１）に到達すると個人が考えるとき、個人は、自分の前にあるボタン（３２）を押すよう要求される。各質問では、刺激（Ｕ１）が移動を開始した後に、刺激（Ｕ１）が第３の場所（ｌ１）に到達したとき、画面（２０）から消滅し、同一速度で移動し続ける。刺激（Ｕ１）が目標の場所（ｌ１）に到達すると個人が考えるとき、個人はボタン（３２）を押し、それにより、個人は推定を行う。推定が正しい場合、画面（２０）上に、「選択は正しい」というメッセージが出現する。個人がボタン（３２）を早くまたは遅れて押した場合、画面（２０）上に、「ボタン（３２）が早く押されました、またはボタン（３２）が遅れて押されました、ボタン（３２）を押したとき、刺激（Ｕ１）は経路（Ｙ１、Ｙ２）上で示される地点に到達しました」。刺激（Ｕ１）が目標の場所（ｌ１）を通過した後に、個人が１０秒以内に推定を行わない場合、画面（２０）上には、「推定が行われませんでした」という指示が出現する。個人が到達地点に関して正しい推定を行う確率が低いので、システムは、個人の推定が、目標の場所（ｌ１）および目標の場所（ｌ１）の隣の場所（ｌ１）の間の距離の４分の１以内で正しくなるように調節される。個人が自分の推定を行った後、個人が５秒以内に自分の両手をプレート（３１）上に置かない場合、「両手をプレート（３１）の上に置いてください」という指示が、画面（２０）上に出現する。試験の第２のステップは、所定の数の事例が行われると終了する。各質問では、２つの異なる経路（Ｙ１、Ｙ２）、刺激（Ｕ１）の４つの異なる速度および異なる有効な場所（ｌ１）が使用される。
【００４２】
試験中、個人の挙動は記録ユニット（１５）により記録される。試験の第１のステップである到達地点試験では、記録される項目は：目標の場所（ｌ１）の数；個人が反応を示す場所（ｌ１）の数；反応時間；目標の場所（ｌ１）からのずれの方向およびレベル；目標の場所（ｌ１）を越えて示された反応回数；目標の場所（ｌ１）の上で示された反応回数；目標の場所（ｌ１）の前で示された反応回数；総反応継続期間および平均反応継続期間である。試験の第２のステップである到達時間試験では、記録される項目は：目標の場所（ｌ１）の数；必要な継続時間；反応継続期間；時間のずれ；遅れて示された反応回数；間に合って示された反応回数；早く示された反応回数；反応の総数である。
【００４３】
本発明の保護範囲は、添付の特許請求の範囲に記載され、詳細な説明の下で上記に示された例示的開示に限定することはできない。これは、当業者が、本発明の主要な原理を逸脱することなく、前述の開示に照らして、類似する実施形態を作り出すことができることが明らかであるためである。
【符号の説明】
【００４４】
１０    動作システム、
１１    プロセッサユニット
１２    入力ユニット
１３    画像ソース
１４    データソース
１５    記録ユニット
１６    編集ユニット
１７    解析ユニット
１８    タイマ
２０    画面
３０    プラットフォーム
３１    プレート
３２    ボタン
４０    イヤホン
Ｙ１    第１の経路
Ｙ２    第２の経路
Ｕ１    刺激
ｌ１    場所
【図３】
0005828344.tif 000002
【図４】
0005828344.tif 000003
【図１】
0005828344.tif 000004
【図２】
0005828344.tif 000005